(57)【要約】【課題】携帯に便利な小型のものとして構成することができ、使用上の利便性の高いポータブル型ガス警報器を提供すること。【解決手段】本発明のポータブル型ガス警報器は、手で握って保持することのできる箱型形状のケーシングを備え、このケーシングの内部における上半部にガス検知動作に係る機能部材が配置されていると共に下半部に電池室およびセンサ装着部が左右に並設されたガス警報器本体を備えてなり、ガス警報器本体におけるセンサ装着部は、ガスセンサおよびリモートケーブルの一方が他方と交換可能とされて着脱自在に装着されるよう構成されており、リモートケーブルは、一端にガスセンサが着脱自在に装着されるセンサ装着部を有すると共に他端にガス警報器本体のセンサ装着部に装着される被装着部を有することを特徴とする。【選択図】図１
2007249500.tif 000002
【特許請求の範囲】
【請求項１】
手で握って保持することのできる箱型形状のケーシングを備え、このケーシングの内部における上半部にガス検知動作に係る機能部材が配置されていると共に下半部に電池室およびセンサ装着部が左右に並設されて形成されたガス警報器本体を備えてなり、
ガス警報器本体におけるセンサ装着部は、ガスセンサおよびリモートケーブルの一方が他方と交換可能に着脱自在に装着されるよう構成されており、
リモートケーブルは、一端にガスセンサが着脱自在に装着されるセンサ装着部を有すると共に他端にガス警報器本体のセンサ装着部に装着される被装着部を有することを特徴とするポータブル型ガス警報器。
【請求項２】
ガス警報器本体におけるセンサ装着部は、全体が円柱状のセンサ本体と、このセンサ本体を内部に保持する円筒状のホルダー部材および当該ホルダー部材の先端部に設けられた弾性体よりなる円筒状のグリップ部材よりなるアダプターとが一の構造体として構成されたガスセンサが装着されるよう、構成されており、
リモートケーブルにおけるセンサ装着部が、ガス警報器本体におけるセンサ装着部と同一の構成を有することを特徴とする請求項１に記載のポータブル型ガス警報器。
【請求項３】
ガス警報器本体におけるセンサ装着部は、全体が円柱状のセンサ本体と、このセンサ本体を内部に保持する円筒状のホルダー部材および当該ホルダー部材の先端部に設けられた弾性体よりなる円筒状のグリップ部材よりなるアダプターとが一の構造体として構成されたガスセンサが装着されるよう、構成されており、
リモートケーブルにおけるセンサ装着部は、前記ガスセンサを構成するセンサ本体が直接的に装着される構成とされていることを特徴とする請求項１に記載のポータブル型ガス警報器。
【請求項４】
ガス警報器本体におけるセンサ装着部は、各々検知対象ガスの種類が異なるセンサ本体を具えた複数の同形のガスセンサのうちから目的に応じて選択されたいずれか一のガスセンサが、他のガスセンサと交換可能とされるよう構成されており、
センサ本体は、当該センサ本体に固有の情報が記録された記憶手段を具えていることを特徴とする請求項２または請求項３に記載のポータブル型ガス警報器。
【請求項５】
センサ本体は温度検知手段を有し、当該温度検知手段により検知される温度情報に基づいて、センサ本体からのガス検知信号についての温度補償条件が設定されることを特徴とする請求項４に記載のポータブル型ガス警報器。
【発明の詳細な説明】
【技術分野】
【０００１】
本発明は、ポータブル型ガス警報器に関する。
【背景技術】
【０００２】
一般に、例えば地下の工事現場や坑道、その他の人が立ち入る場所や作業領域などにおいて、その環境の空気中に一酸化炭素ガスや硫化水素ガスなどの危険性ガスが含有されるおそれがある場合や、空気中の酸素ガス濃度が低下しているおそれがある場合など、環境雰囲気の空気が危険な状態となっている可能性あるいは危険な状態となる可能性がある場合が少なくない。
そして、環境雰囲気の空気において、含有される危険性ガスの濃度が高いことにより、または酸素ガス濃度が低いことにより、人に対して危険な状態となったときには、そのことを直ちに知ることが必要である。
このような要請から、現在までに種々のタイプの携帯用ガス検知器が提案されている（例えば特許文献１参照）。
【０００３】
而して、このような携帯用ガス検知器は、例えば目的とする作業などを実行する上で大きな障害とならないよう、十分に小型ものとして構成されていることが要求されると共に、例えばマンホール内などの水が溜まっている場所などのガス測定対象空間の空気の状態を計測するために使用される場合もあることから、水等が外部から侵入することを防ぐ防水構造が採られていることが望ましい。
【０００４】
【特許文献１】特開２００２−２５７７６８号公報
【発明の開示】
【発明が解決しようとする課題】
【０００５】
本発明は、以上のような事情に基づいてなされたものであって、携帯に便利な小型のものとして構成することができ、使用上の利便性の高いポータブル型ガス警報器を提供することを目的とする。
【課題を解決するための手段】
【０００６】
本発明のポータブル型ガス警報器は、手で握って保持することのできる箱型形状のケーシングを備え、このケーシングの内部における上半部にガス検知動作に係る機能部材が配置されていると共に下半部に電池室およびセンサ装着部が左右に並設されたガス警報器本体を備えてなり、
ガス警報器本体におけるセンサ装着部は、ガスセンサおよびリモートケーブルの一方が他方と交換可能とされて着脱自在に装着されるよう構成されており、
リモートケーブルは、一端にガスセンサが着脱自在に装着されるセンサ装着部を有すると共に他端にガス警報器本体のセンサ装着部に装着される被装着部を有することを特徴とする。
【０００７】
本発明のポータブル型ガス警報器においては、ガス警報器本体におけるセンサ装着部は、全体が円柱状のセンサ本体と、このセンサ本体を内部に保持する円筒状のホルダー部材および当該ホルダー部材の先端部に設けられた弾性体よりなる円筒状のグリップ部材よりなるアダプターとが一の構造体として構成されたガスセンサが装着されるよう、構成されており、
リモートケーブルにおけるセンサ装着部が、ガス警報器本体におけるセンサ装着部と同一の構成を有するものとすることができる。
【０００８】
また、本発明のポータブル型ガス警報器においては、ガス警報器本体におけるセンサ装着部は、全体が円柱状のセンサ本体と、このセンサ本体を内部に保持する円筒状のホルダー部材および当該ホルダー部材の先端部に設けられた弾性体よりなる円筒状のグリップ部材よりなるアダプターとが一の構造体として構成されたガスセンサが装着されるよう、構成されており、
リモートケーブルにおけるセンサ装着部が、前記ガスセンサを構成するセンサ本体が直接的に装着される構成のものとすることができる。
【０００９】
さらに、本発明のポータブル型ガス警報器においては、ガス警報器本体におけるセンサ装着部は、各々検知対象ガスの種類が異なるセンサ本体を具えた複数の同形のガスセンサのうちから目的に応じて選択されたいずれか一のガスセンサが、他のガスセンサと交換可能とされるよう構成されており、
センサ本体は、当該センサ本体に固有の情報が記録された記憶手段を具えた構成のものであることが好ましい。
【００１０】
また、センサ本体は温度検知手段を有し、当該温度検知手段により検知される温度情報に基づいて、センサ本体からのガス検知信号についての温度補償条件が設定される構成とされていることが好ましい。
【発明の効果】
【００１１】
本発明のポータブル型ガス警報器によれば、基本的には、ガス警報器本体におけるケーシングが手に持って保持することのできる大きさのものであり、ケーシング内の上半部にガス検知動作に係る機能部材が配置されると共に下半部に電池室およびセンサ装着部が並設されて形成されており、必要とされる構成部材のすべてがケーシング内に合理的に配置されているので、ガス警報器本体それ自体を小型のものとして構成することができ、従って、優れた携帯性および高い利便性を得ることができる。
しかも、ガス警報器本体におけるセンサ装着部がガスセンサおよびリモートケーブルの一方が他方と交換可能に着脱自在に装着される構成とされていることにより、ガス警報器本体にガスセンサを装着して使用する、いわゆる『携帯タイプ』と、ガス警報器本体にリモートケーブルを接続すると共にリモートケーブルの一端部にガスセンサを装着して使用する、いわゆる『リモートタイプ』との両方を容易に変更して、目的に応じた形態で使用することでき、使用上の利便性が高いものとして構成することができる。
そして、リモートケーブルを利用する場合には、人が入ることができない場所であっても、ガスセンサが装着された先端部を目的とする場所に向けることにより、所定のガス測定を行うことができ、高い操作性を得ることができる。
【００１２】
また、センサ本体とアダプターとが一の構造体として構成されたガスセンサがガス警報器本体のセンサ装着部に装着された形態から、リモートケーブルを利用する形態に変更してガス測定を行う場合において、リモートケーブルがガス警報器のセンサ装着部と同一の構成のセンサ装着部を有するものであることにより、ガス警報器本体から取り外されたガスセンサをそのまま、特別な装着部材を用いることなしに、リモートケーブルのセンサ装着部に装着することができるので、高い利便性を確実に得ることができる。
【００１３】
また、ガスセンサがガス警報器本体のセンサ装着部に装着された形態からリモートケーブルを利用する形態に変更してガス測定を行う場合において、リモートケーブルがガスセンサを構成するセンサ本体が直接的に接続される構成のセンサ装着部を有するものであることにより、センサ本体それ自体は小型のものであることから、リモートケーブルの先端部を適宜の装着具を用いて例えばヘルメット等に装着することができ、例えばガス警報器本体を身体に装着しておけば両手を自由な状態とすることができるので、高い利便性を確実に得ることができる。
【００１４】
さらにまた、ガスセンサを構成するセンサ本体が当該センサ本体に固有の情報が記録された記憶手段を有することにより、ガスセンサの装着に伴ってガス警報器本体の動作環境条件が、装着されたガスセンサに応じたものに自動的に設定されるので、煩雑な操作を行うことが不要であり、高い利便性を得ることができる。
また、温度検知手段よりの温度情報に基づいて温度補償条件が自動的に設定されることにより、信頼性の高いガス検知を行うことができるものでありながら、煩雑な操作を行うことが不要であり、高い利便性を得ることができる。
【発明を実施するための最良の形態】
【００１５】
本発明のポータブル型ガス警報器は、センサ装着口がケーシングの外方に開口するセンサ装着部を有するガス警報器本体を備えてなり、センサ装着部が、ガスセンサおよびリモートケーブルの一方が他方と交換可能とされて着脱自在に装着されるよう構成されたものである。以下においては、先ず、ガスセンサがガス警報器本体におけるセンサ装着部に装着された形態について、図面を参照しながら説明する。
【００１６】
図１は、本発明のポータブル型ガス警報器の一構成例を示す正面図、図２は、図１に示すポータブル型ガス警報器の平面図、図３は、図１に示すポータブル型ガス警報器の背面図、図４は、図１に示すポータブル型ガス警報器の底面図、図５は、図１に示すポータブル型ガス警報器の左側面図、図６は、図１に示すポータブル型ガス警報器の右側面図、図７は、図１のＡ−Ａにおける縦断面図、図８は、図１のＢ−Ｂにおける横断面図、図９は、図１のＣ−Ｃにおける縦断面図、図１０は、図１のＤ−Ｄにおける横断面図である。以下、本明細書においては、特に言及する場合を除いて、図１における上下方向を「上下方向」、図１における左右方向を「左右方向」というが、ガス警報器の使用形態を制限するものではない。
このポータブル型ガス警報器（以下、単に、「ガス警報器」という。）１０は、手で握って保持することができる全体が略箱型形状のケーシング１１を備え、ケーシング１１の内部における上半部にガス検知動作に係る機能部材が配置されていると共に下半部に電池室１３およびセンサ装着部１５が左右に並設されて形成されたガス警報器本体１０Ａを備えている。
【００１７】
ケーシング１１は、背面側ケーシング部材１２と、この背面側ケーシング部材１２にリング状パッキング２５を介して固定用ネジ１１Ａによって連結固定される正面側ケーシング部材２０とにより構成されており、図１１に示すように、略円筒状のセンサ装着部１５および電池受容部１３Ａを形成する電池室１３が背面側ケーシング部材１２単独で形成されている。ここに、リング状パッキング２５は、背面側ケーシング部材１２と正面側ケーシング部材２０との対接面２６の全周にわたって配設されている。
正面側ケーシング部材２０には、図１２に示すように、上半領域において、表示部および警報用発光部を形成する、正面側ケーシング部材２０の正面領域全体の２５％程度の大きさの比較的に占有面積の大きい正面開口部２１および操作部形成用開口部２２が上下に並んだ位置に形成されており、裏面における正面開口部２１および操作部形成用開口部２２の間の位置に、左右に延びる平板状の補強部材２３が設けられている。
【００１８】
ケーシング１１の内部における上半部には、平板状の表示用基板４６Ａ、給電用回路および充電用回路を含む平板状の電源基板４６Ｂおよびガスセンサからの信号を処理するガス検知信号処理用回路を含む平板状のＣＰＵ基板４６Ｃが、互いに平行にケーシング１１の正面および背面に沿って上下方向に延びるよう立体的に配設されており、表示用基板４６Ａが正面側ケーシング部材２０に保持固定されていると共に、電源基板４６ＢおよびＣＰＵ基板４６Ｃが背面側ケーシング部材１２に保持固定されている。
【００１９】
表示用基板４６Ａには、正面側ケーシング部材２０の正面開口部２１に対向する領域に、検出されたガスの種類とその濃度が表示される例えば液晶表示パネルからなるパネル状表示機構４７およびこのパネル状表示機構４７の上方位置に発光ダイオード（図示せず）よりなる警報用発光素子４８が配置されていると共に、正面側ケーシング部材２０の操作部形成用開口部２２に対向する領域に例えば３つのスイッチ素子４９Ａ，４９Ｂ，４９Ｃが左右に並んで配置されている。
そして、各々のスイッチ素子４９Ａ，４９Ｂ，４９Ｃに対応するスイッチ駆動部分５４Ａ，５４Ｂ，５４Ｃが一体に形成されたパネル状の保護用窓部材５０が、パネル状表示機構４７、警報用発光素子４８およびスイッチ素子４９Ａ，４９Ｂ，４９Ｃの配置領域の全域を覆うよう、スイッチ駆動部分５４Ａ，５４Ｂ，５４Ｃの各々が正面側ケーシング部材２０の操作部形成用開口部２２に挿入された状態で正面開口部２１に装着され、これにより、表示部５１、警報用発光部５２および操作部５３が形成されている。
また、パネル状表示機構４７の裏面側の位置に導光板が設けられると共に、この導光板を介してパネル状表示機構４７に光を照射する発光ダイオード（図示せず）よりなるバックライトが設けられた構成とすることができる。
【００２０】
操作部５３は、「ＰＯＷＥＲ」と表示されたメインスイッチを構成する第１の操作用ボタン５３Ａが右側に、「ＤＩＳＰ」と表示された切替えスイッチを構成する第２の操作用ボタン５３Ｂが中央に、「ＡＩＲ」と表示された機能調整用スイッチを構成する第３の操作用ボタン５３Ｃが左側に配列されている。
【００２１】
パネル状表示機構４７においては、例えば中央位置に検知されたガスの濃度が数値で表示される。また、他の情報を表示するよう自動的または手動操作によって順次に切り替えて表示される構成とすることもできる。
【００２２】
ＣＰＵ基板４６Ｃには、ガス警報器１０における各部の動作を制御する機能を有する電子回路が設けられていると共に、例えばガスセンサ５５により検知されるログデータ格納用の記憶素子が設けられている。
【００２３】
上述したように、ケーシング１１の内部における下半部には、電池室１３およびセンサ装着部１５が形成されており、電池挿入口１３Ｂおよびセンサ装着口１５Ａが互いに同方向、具体的には下方向に開口し、電池１４および例えばガスセンサ５５が同一方向に引き出される構成とされている。
【００２４】
電池室１３は、例えば２本の柱状の電池１４、具体的には単三形の乾電池（ＡＡサイズ）が左右に並設された状態で受容される電池受容部１３Ａを有し、この電池受容部１３Ａに、電池１４が互いに正極および負極が逆方向を向いた状態で装填され、さらに、裏面に電源端子４５が設けられた電池蓋３０が電池挿入口１３Ｂ内に収容された状態で装着され、これにより、２本の電池１４が直列状態で接続される。また、電池蓋３０には、側面にリング状パッキング（図示せず）が装着されている。
電池挿入口１３Ｂの開口縁部分には、ケーシング１１の右側壁に切り欠き部１３Ｃが形成されており、これにより、例えば電池１４が装填されていない状態で電池蓋３０が装着された場合であっても、電池蓋３０を容易に取り外すことができる。
【００２５】
センサ装着部１５には、図９に示すように、その内面にガスセンサ保持用のスリーブ部材１６が装着されていると共に、上端面すなわち例えばガスセンサ５５の装着方向奥側の端面に接続用コネクター部材１８が装着されており、各々検知対象ガスの種類が異なるセンサ本体を具えた複数の同形のガスセンサのうちから目的に応じて選択されたいずれか一のガスセンサが、他のガスセンサと交換可能とされるよう構成されている。
また、ガスセンサ５５が装着された場合において、ガスセンサ５５を構成するガスセンサ本体５６のガス銘を外部に露出させる視認用開口部１９がセンサ装着口１５Ａに近接した外面位置に形成されている。
【００２６】
このガス警報器１０においては、図１３および図１４に示すように、全体が円筒状のガスセンサ本体５６と、特定のアダプター６０とが一の構造体として構成されたガスセンサ５５がガス警報器本体１０Ａのセンサ装着部１５に着脱自在に装着される。
【００２７】
ガスセンサ５５を構成するセンサ本体５６は、例えば定電位電解型センサよりなるセンサ素子５６Ｂと、このセンサ素子５６Ｂに一体に設けられた、センサ素子５６Ｂに固有の情報が記録されたメモリおよび温度補償用のサーミスタを有するセンサ基板５７と、センサ素子５６Ｂが内部に挿入された状態でこれを保持する、一端（図１４において下端）が開口するセンサ保護カバー部材５８と、このセンサ保護カバー部材５８の他端部に螺合されて装着されたキャップ部材５９とにより構成されている。
センサ素子５６Ｂは、各々流体流通路が形成された板状の電極体を有する作用極、対極、並びに参照極が電解液保持部材が介在された状態で積重されてなるガス検知電極構造体が、円筒状のセンサケース５６Ｃ内に設けられて、構成されており、センサケース５６Ｃの外周面における互いに周方向に離間して並んだ位置において、作用極、対極および参照極の各々に対するピン状の外部リード部材５６Ｄが軸方向に伸びるよう配設されている。  そして、このセンサ本体５６においては、センサケース５６Ｃの一面（図１３および図１４においては下面）にガス導入口５６Ａが形成されていると共に、センサ基板５７の他面側に、ガス警報器本体におけるセンサ装着部１５の接続用コネクター部１８に接続されるコネクター部５７Ａを有する。
検知対象ガスの種類は、特に限定されるものではなく、例えばＰＨ3 ，ＳＯ2 ，ＣＯ，Ｈ2 Ｓ，ＮＨ3 ，Ｃｌ2 ，Ｏ3 等を例示することができる。
【００２８】
特定のアダプター６０は、センサ本体５６を内部に収容した状態でこれを保持する透明な樹脂製のホルダー部材６１と、このホルダー部材６１の一端部に嵌合されて設けられる、例えばエラストマーなどの弾性体よりなる円筒状のグリップ部材６５とにより構成されている。
６４は、ガス警報器本体１０Ａに設けられたスリーブ部材１６の図示しない係合用装着部１７（例えば図１７参照）に係合される係合用突起であり、６８は、ホルダー部材６１の外周面に装着されたリング状パッキングである。
【００２９】
上記のガスセンサ５５は、ガス警報器本体１０Ａのセンサ装着口１５Ａより挿入されて例えば時計回りに回転されることにより、センサ本体５６における表示（ガス銘）がセンサ装着部１５における視認用開口部１９を介して外部に露出された状態で、センサ装着部１５におけるスリーブ部材１６の係合用装着部１７によって保持固定されると共に接続用コネクター部材１８に電気的に接続される。
ガスセンサ５５がガス警報器本体１０Ａにおけるセンサ装着部１５に装着された状態においては、ガスセンサ５５はアダプター６０のグリップ部材６５を除いた部分がセンサ装着部１５内に収容されてケーシング１１の外部に突出する部分が可及的に小さくされた状態とされている。然るに、グリップ部材６５は外部に突出していることにより、ガスセンサ５５の着脱は容易に行うことができる。
【００３０】
上述したように、ガス警報器本体１０Ａにおけるセンサ装着部１５は、ガスセンサ５５およびリモートケーブルの一方が他方と交換可能とされて着脱自在に装着されるよう構成されている。
リモートケーブルは、例えば図１５および図１６に示すように、電源ラインおよび信号ラインを有するケーブル８１の一端にガス警報器本体１０Ａのセンサ装着部１５と同様の構成を有するセンサ装着部８２を有し、ケーブル８１の他端にガス警報器本体１０Ａのセンサ装着部１５に装着される被装着部８５を有する。８４Ａ，８４Ｂは、コイル状の線条保護部材である。
【００３１】
ケーブル８１の外面には、例えばカーボン含有絶縁性樹脂よりなる非帯電性被覆が設けられており、これにより、信号ラインおよび電源ラインの保護機能を得ることができると共に防爆性を有するものとして構成することができる。
【００３２】
このリモートケーブル８０のセンサ装着部８２は、略円筒状の装着部本体８２Ｅと、この装着部本体８２Ｅの一端側開口部に嵌合されて設けられた、ガス警報器本体１０Ａのセンサ装着部１５に装着されたスリーブ部材１６の係合装着部１７と同一の構成の係合装着部８２１が形成された円筒状のスリーブ部材８２Ａと、装着部本体８２Ｅの一端側部分およびスリーブ部材８２Ａの外面に嵌合されて設けられた、円筒状のエラストマーなどの弾性体よりなるカバー部材８２Ｃとにより構成されており、ケーブル８１の接続用コネクター部８２Ｂが装着部本体８２Ｅの内部空間に突出する状態とされている。
【００３３】
このリモートケーブル８０の被装着部８５は、ガスセンサ５５を構成するアダプター６０と同一の構成（外形）を有し、センサ本体５６と同一の外形を有する略円柱状の被装着部本体８５Ｅと、この被装着部本体８５Ｅが内部に挿入された状態で設けられた、アダプター６０のホルダー６１に対応する筒状挿入部８５Ａと、この筒状挿入部８５Ａの一端部に嵌合されて設けられた、アダプター６０のグリップ６５に対応するグリップ部材８５Ｄと、被装着部本体８５Ｅの他端部に設けられた、ガス警報器本体１０Ａにおける接続用コネクター部１８に接続されるコネクター部８５Ｂを有するキャップ部材８５Ｃとにより構成されている。
筒状挿入部８５Ａの外面には、ガス警報器本体１０Ａのセンサ装着部１５におけるスリーブ部材１６の係合装着部１７に係合される突起部８６が形成されていると共に、リング状パッキング８７が設けられている。
【００３４】
以下においては、このリモートケーブル８０の接続方法について説明する。先ず、図１７に示すように、例えばガス警報器本体１０Ａに装着されているガスセンサ５５を取り外した後、図１８に示すように、リモートケーブル８０の被装着部８５をガス警報器本体１０Ａのセンサ装着部１５に挿入し、リモートケーブル８０の被装着部８５を、例えばグリップ部材８５Ｄを保持して時計回りに回転させることにより、筒状挿入部８５Ａの外面における突起部８６をガス警報器本体１０Ａにおけるスリーブ部材１６の係合装着部１７によって保持固定させると共にコネクター部８５Ｂをガス警報器本体１０Ａにおける接続用コネクター部材１８に電気的に接続する。
その後、図１９に示すように、ガスセンサ５５をリモートケーブル８０のセンサ装着部８２に挿入し、ガスセンサ５５を時計回りに回転させることにより、ホルダー６１における係合用突起６４を、センサ装着部８２におけるスリーブ部材８２Ａの係合装着部８２１によって保持固定させると共に接続用コネクター部８２Ｂに電気的に接続する。
【００３５】
以上のガス警報器１０においては、例えばガスセンサ５５におけるセンサ本体５６により検知されてＣＰＵ基板４６Ｃの記憶素子に記録されたガス濃度データを読み出すための赤外線通信ポート２８がガス警報器本体１０Ａの右側面の上半部に形成されている。
また、例えば導電性熱可塑性エラストマー組成物よりなり、それ自体がガス警報器本体１０Ａに装着される形態の装着部を有するプロテクトカバー７０が着脱自在に装着されている。
【００３６】
プロテクトカバー７０は、図２０に示すように、その内面において、ガス警報器本体１０Ａのケーシング１１の一部の外面形状に適合する形状を有するものであって、正面に、ガス警報器本体１０Ａの表示部５１、警報用発光部５２および操作部５３を外部に露出させる正面開口部７２が形成されていると共に、背面にガス警報器装着用開口部７３が形成されている。また、底面には、ガスセンサ装着用開口部７４および電池挿入用開口部７５が形成されており、右側面に、赤外線通信ポート露出用開口部７６が形成されている。
このプロテクトカバー７０は、ガス警報器装着用開口部７３が人の手によって拡開されてガス警報器本体１０Ａが通過することのできる状態とされ、それ自体の弾性によって形状が復元されることにより装着部７１に受容されるガス警報器本体１０Ａを保持する。
そして、プロテクトカバー７０が装着された状態においては、外部に露出されるガス警報器本体のケーシング１１による連続した樹脂表面部分の大きさが所定の大きさ例えば１００ｃｍ2 以下に規制され、これにより、静電気対策が十分で信頼性の高い防爆性を有するものとなる。また、プロテクトカバー７０を構成する材料それ自体の耐衝撃性によって、ガス警報器本体の緩衝材（保護材）としても機能するので、ガス警報器本体１０Ａが故障または破損することを防止することができ、適正な動作状態に維持することができる。
【００３７】
本発明のガス警報器１０の一構成例を示すと、ガス警報器本体１０Ａの縦方向（図１において上下方向）の最大寸法が１３１ｍｍ、横方向（図１において左右方向）の最大寸法が７７ｍｍ、厚み方向（図１において紙面に対して垂直な方向）の最大寸法が４０ｍｍであり、ガス検知動作が可能な状態（ガスセンサ５５および２本の電池１４が装着された状態）における総重量が２４０ｇである。
リモートケーブル８０の全長は例えば０．５〜２０ｍの範囲内において目的に応じて設定することができる。
【００３８】
以下、上記ガス警報器１０の動作について説明する。
先ず、目的に応じて選択されたガスセンサ５５をガス警報器本体１０Ａのガスセンサ装着部１５に装着した後、第１の操作ボタン５３Ａを操作してガス警報器本体１０Ａを動作状態とすると、ガスセンサ５５、パネル状表示機構４７およびその他各部が動作状態とされると共に、センサ本体５６におけるセンサ基板５７のメモリに記録されたセンサ本体５６に固有の情報によりガス警報器本体１０Ａの動作環境条件が、装着されたガスセンサ５５に応じたものに自動的に設定されると共に、サーミスタよりの温度情報により温度補償条件が自動的に設定される。そして、この状態で環境雰囲気の空気が自然拡散によりガス導入口５６Ａを介してセンサ本体５６に到達し、目的とする検知対象ガスについてその濃度検知が行われ、その結果がパネル状表示機構４７に表示される。
【００３９】
また、リモートケーブル８０を利用する場合も同様であって、第１の操作ボタン５３Ａを操作してガス警報器本体１０Ａを動作状態とすると、リモートケーブル８０における電源ラインを介してガスセンサ５５が動作状態とされると共に、ガス警報器本体１０Ａにおけるパネル状表示機構４７およびその他各部が動作状態とされ、センサ本体５６におけるセンサ基板５７のメモリに記録されたセンサ本体５６に固有の情報がリモートケーブル８０における信号ラインを介してガス警報器本体１０Ａに送られて、ガス警報器本体１０Ａの動作環境条件が、装着されたガスセンサ５５に応じたものに自動的に設定されると共に、サーミスタよりの温度情報により温度補償条件が自動的に設定される。
そして、ガスセンサ５５が装着されたリモートケーブル８０の先端部を手で握ってガスセンサ５５のガス導入口５６Ａを任意の方向に指向させて、あるいは、ガス警報器本体１０Ａを手で保持してあるいは身体に装着し、ガスセンサ５５が装着された先端部を例えばマンホール内などに投入することにより、環境雰囲気の空気が自然拡散によりガス導入口５６Ａを介してセンサ本体５６に到達し、目的とする検知対象ガスについてその濃度検知が行われ、ガス検知信号がリモートケーブル８０における信号ラインを介してガス警報器本体１０Ａに送られてその結果がパネル状表示機構４７に表示される。
【００４０】
ガスセンサ５５により検知されたガスの濃度は、電流信号または電圧信号としてＣＰＵ基板４６Ｃの信号処理回路に送られて処理され、これにより、検知対象ガスの濃度が当該ガスについて設定された基準値（警報点）を超えた時には警報動作信号が発せられ、これにより、警報用発光部５２が駆動されて発光による警報が発せられる。
異なる種類のガスについての濃度検知を行う場合には、ガスセンサ５５を交換して同様の操作を繰り返して行えばよい。
【００４１】
実際上、このガス警報器１０は、例えば作業者が手に保持するなどして作業者によって携帯されて使用されるが、作業者のいる環境雰囲気が危険性ガスの濃度が高いことにより、あるいは酸素ガス濃度が低いことにより危険な状態となったときには、その旨が、表示部５１の表示、並びに、警報用発光部５２の発光によって報知されるので、作業者は、直ちに通報あるいは適宜の防護手段を講ずることができ、あるいはその場から退避するなどの対策を講ずることができる。
【００４２】
而して、上記ガス警報器１０によれば、基本的には、ガス警報器本体１０Ａにおけるケーシング１１が手に持って保持することのできる大きさのものであり、ケーシング１１内の上半部にガス検知動作に係る機能部材が配置されると共に下半部に電池室１３およびセンサ装着部１５が並設されて形成されており、必要とされる構成部材のすべてがケーシング１１内に合理的に配置されているので、ガス警報器１０それ自体を小型のものとして構成することができ、従って、優れた携帯性および高い利便性を得ることができる。
しかも、ガス警報器本体１０Ａにおけるセンサ装着部１５が、ガスセンサ５５およびリモートケーブル８０の一方が他方と交換可能に装着される構成とされていることにより、ガス警報器本体１０Ａにガスセンサ５５を装着して使用する、いわゆる『携帯タイプ』と、ガス警報器本体１０Ａにリモートケーブル８０を接続すると共にリモートケーブル８０の一端部にガスセンサ５５を装着して使用する、いわゆる『リモートタイプ』との両方を容易に変更して、目的に応じた形態で使用することでき、使用上の利便性が高いものとして構成することができる。
そして、リモートケーブル８０を利用する場合には、人が入ることができない場所であっても、ガスセンサ５５が装着された先端部を目的とする場所に向けることにより、所定のガス測定を行うことができ、高い操作性を得ることができる。
【００４３】
また、センサ本体５６とアダプター６０とが一の構造体として構成されたガスセンサ５５がガス警報器本体１０Ａのセンサ装着部１５に装着された形態から、リモートケーブル８０を利用する形態に変更してガス測定を行う場合において、リモートケーブル８０がガス警報器本体１０Ａのセンサ装着部１５と同一の構成のセンサ装着部８２を有するものであることにより、ガス警報器本体１０Ａから取り外されたガスセンサ５５をそのままの状態で、特別な装着部材を用いることなしに、リモートケーブル８０のセンサ装着部８２に装着することができるので、高い利便性を確実に得ることができる。
【００４４】
さらにまた、上記ガス警報器１０においては、ガスセンサ５５の装着に伴って動作環境条件および温度補償条件が、装着されたガスセンサ５５に応じたものに自動的に設定変更されるので、煩雑な操作を行うことが不要であり、高い利便性を得ることができる。
【００４５】
上記ガス警報器本体１０Ａにおいては、（１）ケーシング１１が正面側ケーシング部材２０および背面側ケーシング部材１２がこれらの対接面２６の全周にわたって配設されたリング状パッキング２５を介して連結されてなること、（２）ガス警報器本体１０Ａのセンサ装着部１５の内面と、ガスセンサ５５に係るホルダー部材６１の外面との間にリング状パッキング６８が介在すること、および（３）電池蓋３０の側面にリング状パッキングが装着されていることにより、十分に信頼性の高い防水構造が形成されているので、外部から水がガス警報器本体１０Ａ内に侵入することを確実に防止することができ、例えばガス警報器本体１０Ａに対して外部から水が侵入するおそれのある環境のガス検知を行うものとして極めて有用なものとなる。
【００４６】
以上、本発明の一実施形態について説明したが、本発明は上記の実施形態に限定されるものではなく、種々の変更を加えることができる。
例えばリモートケーブルは、図２１および図２２に示すように、リモートケーブル９０におけるセンサ装着部９１が、ガスセンサ５５を構成するセンサ本体５６が直接的に装着される接続用コネクター部９２を有する構成のものを用いることができる。このリモートケーブル９０はセンサ装着部９１の構造が異なることの他は、図１５および図１６に示すものと同一の構成を有する。
このような構成のリモートケーブル９０を用いる場合には、図２３に示すように、ガス警報器本体１０Ａから取り外されたガスセンサ５５からアダプター６０を取り外しておく共に、リモートケーブル９０の被装着部８５をガス警報器本体１０Ａに装着する。次いで、図２４に示すように、センサ本体５６を、そのコネクター部５７Ａをリモートケーブル９０の接続用コネクター部９２に電気的に接続することにより装着する。
而して、上記構成のリモートケーブル９０が装着されたガス警報器１０によれば、基本的には、上記と同様の効果、すなわち、優れた携帯性および高い利便性を得ることができると共に、センサ本体５６それ自体は小型のものであることから、リモートケーブル９０の先端部を適宜の装着具を用いて例えばヘルメット等に装着することができ、例えばガス警報器本体１０Ａを身体に装着しておけば両手を自由な状態とすることができるので、高い利便性を確実に得ることができる。
【００４７】
さらに、本発明のガス警報器においては、適宜の装着用部材を用いて人の身体に直接的に装着してあるいは人の着衣に装着して使用してもよく、装着用部材としては、例えばクリップ、ピンなどを挙げることができる。
また、ガス警報器における警報報知機構として、例えば警報用ブザー、警報用振動発生器（数十ヘルツ程度の低周波を発する）が設けられた構成とすることができ、この場合には、警報用発光部による発光に加え、警報用ブザーによるブザー音および警報用振動発生器による振動によって警報が発せられる。
【図面の簡単な説明】
【００４８】
【図１】本発明のポータブル型ガス警報器の一構成例を示す正面図である。
【図２】図１に示すポータブル型ガス警報器の平面図である。
【図３】図１に示すポータブル型ガス警報器の背面図である。
【図４】図１に示すポータブル型ガス警報器の底面図である。
【図５】図１に示すポータブル型ガス警報器の左側面図である。
【図６】図１に示すポータブル型ガス警報器の右側面図である。
【図７】図１のＡ−Ａにおける縦断面図である。
【図８】図１のＢ−Ｂにおける横断面図である。
【図９】図１のＣ−Ｃにおける縦断面図である。
【図１０】図１のＤ−Ｄにおける横断面図である。
【図１１】背面側ケーシング部材の正面図である。
【図１２】正面側ケーシング部材の背面図である。
【図１３】ガスセンサの一例における構成の概略を示す説明図である。
【図１４】図１３に示すガスセンサの分解図である。
【図１５】リモートケーブルの一構成例を示す斜視図である。
【図１６】図１５に示すリモートケーブルの断面図である。
【図１７】リモートケーブルの装着方法を説明するための説明図であって、ガスセンサがガス警報器本体から取り外された状態を示す斜視図である。
【図１８】リモートケーブルの装着方法を説明するための説明図であって、リモートケーブルの被装着部がガス警報器本体のセンサ装着部に装着された状態を示す斜視図である。
【図１９】リモートケーブルの装着方法を説明するための説明図であって、ガスセンサがリモートケーブルのセンサ装着部に装着された状態を示す斜視図である。
【図２０】プロテクトカバーの構成を示す斜視図である。
【図２１】リモートケーブルの他の構成例を示す斜視図である。
【図２２】図２１に示すリモートケーブルの断面図である。
【図２３】リモートケーブルの装着方法を説明するための説明図であって、リモートケーブルの被装着部がガス警報器本体のセンサ装着部に装着された状態を示す斜視図である。
【図２４】リモートケーブルの装着方法を説明するための説明図であって、ガスセンサを構成するセンサ本体がリモートケーブルのセンサ装着部に装着された状態を示す斜視図である。
【符号の説明】
【００４９】
１０  ポータブル型ガス警報器
１０Ａ  ガス警報器本体
１１  ケーシング
１１Ａ  固定用ネジ
１２  背面側ケーシング部材
１３  電池室
１３Ａ  電池受容部
１３Ｂ  電池挿入口
１３Ｃ  切り欠き部
１４  電池
１５  センサ装着部
１５Ａ  センサ装着口
１６  スリーブ部材
１７  係合用装着部
１８  接続用コネクター部材
１９  視認用開口部
２０  正面側ケーシング部材
２１  正面開口部
２２  操作部形成用開口部
２３  補強部材
２５  リング状パッキング
２６  対接面
２８  赤外線通信ポート
３０  電池蓋
４５  電源端子
４６Ａ  表示用基板
４６Ｂ  電源基板
４６Ｃ  ＣＰＵ基板
４７  パネル状表示機構
４８  警報用発光素子
４９Ａ，４９Ｂ，４９Ｃ  スイッチ素子
５０  保護用窓部材
５１  表示部
５２  警報用発光部
５３  操作部
５３Ａ  第１の操作用ボタン
５３Ｂ  第２の操作用ボタン
５３Ｃ  第３の操作用ボタン
５４Ａ，５４Ｂ，５４Ｃ  スイッチ駆動部分
５５  ガスセンサ
５６  ガスセンサ本体
５６Ａ  ガス導入口
５６Ｂ  センサ素子
５６Ｃ  センサケース
５６Ｄ  外部リード部材
５７  センサ基板
５７Ａ  コネクター部
５８  センサ保護カバー部材
５９  キャップ部材
６０  アダプター
６１  ホルダー部材
６４  係合用突起
６５  グリップ部材
６８  リング状パッキング
７０  プロテクトカバー
７１  装着部
７２  正面開口部
７３  ガス警報器装着用開口部
７４  ガスセンサ装着用開口部
７５  電池挿入用開口部
７６  赤外線通信ポート露出用開口部
８０  リモートケーブル
８１  ケーブル
８２  センサ装着部
８２１  係合装着部
８２Ａ  スリーブ部材
８２Ｂ  接続用コネクター部
８２Ｃ  カバー部材
８２Ｅ  装着部本体
８４Ａ，８４Ｂ  線条保護部材
８５  被装着部
８５Ａ  筒状挿入部
８５Ｂ  コネクター部
８５Ｃ  キャップ部材
８５Ｄ  グリップ部材
８５Ｅ  被装着部本体
８６  突起部
８７  リング状パッキング
９０  リモートケーブル
９１  センサ装着部
９２  接続用コネクター部
【図１】
2007249500.tif 000003
【図２】
2007249500.tif 000004
【図３】
2007249500.tif 000005
【図４】
2007249500.tif 000006
【図５】
2007249500.tif 000007
【図６】
2007249500.tif 000008
【図７】
2007249500.tif 000009
【図８】
2007249500.tif 000010
【図９】
2007249500.tif 000011
【図１０】
2007249500.tif 000012
【図１１】
2007249500.tif 000013
【図１２】
2007249500.tif 000014
【図１３】
2007249500.tif 000015
【図１４】
2007249500.tif 000016
【図１５】
2007249500.tif 000017
【図１６】
2007249500.tif 000018
【図１７】
2007249500.tif 000019
【図１８】
2007249500.tif 000020
【図１９】
2007249500.tif 000021
【図２０】
2007249500.tif 000022
【図２１】
2007249500.tif 000023
【図２２】
2007249500.tif 000024
【図２３】
2007249500.tif 000025
【図２４】
2007249500.tif 000026